(57)【要約】      （修正有）【課題】モノクロ画像の画質を向上させることが可能な画像形成装置を提供する。【解決手段】画像形成装置１は、ブラックのインク滴を吐出するブラック用ノズルと、コンポジットブラックを生成するカラーのインク滴を吐出するカラー用ノズルと、を含む複数のノズルから記録データ３１０に基づいてインク滴を吐出してモノクロ画像３３０を形成可能である。画像形成装置１の制御部Ｕ１は、記録データ３１０で表されるブラックのインクの記録濃度が所定濃度（Ｔｃ）以上のときに、ブラック用ノズルからブラックのインク滴を吐出することに加えてカラー用ノズルからコンポジットブラックを生成するカラーのインク滴を吐出してモノクロ画像３３０を形成する。【選択図】図１
2015168088.tif 000002
【特許請求の範囲】
【請求項１】
ブラックのインク滴を吐出するブラック用ノズルと、コンポジットブラックを生成するカラーのインク滴を吐出するカラー用ノズルと、を含む複数のノズルから記録データに基づいてインク滴を吐出してモノクロ画像を形成可能な画像形成装置であって、
前記記録データで表されるブラックのインクの記録濃度が所定濃度以上のときに、前記ブラック用ノズルからブラックのインク滴を吐出することに加えて前記カラー用ノズルからコンポジットブラックを生成するカラーのインク滴を吐出してモノクロ画像を形成する制御部を備えた、画像形成装置。
【請求項２】
第一の被記録物にモノクロ画像を形成する第一の被記録物設定と、前記第一の被記録物よりもインクが滲み易い第二の被記録物にモノクロ画像を形成する第二の被記録物設定と、を含む複数の被記録物設定の中からいずれかの被記録物設定を入力する被記録物設定入力部を備え、
前記制御部は、前記第二の被記録物設定が入力されたとき、前記ブラック用ノズルからのブラックのインク滴に加える前記カラー用ノズルからのカラーのインク滴の割合を前記第一の被記録物設定が入力されたときと比べて少なくするか、カラーのインク滴を加えないでモノクロ画像を形成する、請求項１に記載の画像形成装置。
【請求項３】
前記複数のノズルから被記録物の搬送位置まで第一の距離であることを示す第一の間隔設定と、前記複数のノズルから被記録物の搬送位置まで前記第一の距離よりも長い第二の距離であることを示す第二の間隔設定と、を含む複数の間隔設定の中からいずれかの間隔設定を入力する間隔設定入力部を備え、
前記制御部は、前記第一の間隔設定が入力されたとき、前記ブラック用ノズルからのブラックのインク滴に加える前記カラー用ノズルからのカラーのインク滴の割合を前記第二の間隔設定が入力されたときと比べて少なくするか、カラーのインク滴を加えないでモノクロ画像を形成する、請求項１又は請求項２に記載の画像形成装置。
【請求項４】
被記録物に対して前記複数のノズルを１回相対移動させることにより前記複数のノズルの並びに対応する１バンド分の全ドットを形成する第一の走査設定と、被記録物に対して前記複数のノズルを２回以上相対移動させることにより前記複数のノズルの並びに対応する１バンド分の全ドットを形成する第二の走査設定と、を含む複数の走査設定の中からいずれかの走査設定を入力する走査設定入力部を備え、
前記制御部は、前記第二の走査設定が入力されたとき、前記ブラック用ノズルからのブラックのインク滴に加える前記カラー用ノズルからのカラーのインク滴の割合を前記第一の走査設定が入力されたときと比べて少なくするか、カラーのインク滴を加えないでモノクロ画像を形成する、請求項１〜請求項３のいずれか一項に記載の画像形成装置。
【請求項５】
被記録物に対する前記複数のノズルの相対移動方向において第一の解像度でモノクロ画像を形成する第一の解像度設定と、前記相対移動方向において前記第一の解像度よりも高い第二の解像度でモノクロ画像を形成する第二の解像度設定と、を含む複数の解像度設定の中からいずれかの解像度設定を入力する解像度設定入力部を備え、
前記制御部は、前記第一の解像度設定が入力されたとき、前記ブラック用ノズルからのブラックのインク滴に加える前記カラー用ノズルからのカラーのインク滴の割合を前記第二の解像度設定が入力されたときと比べて少なくするか、カラーのインク滴を加えないでモノクロ画像を形成する、請求項１〜請求項４のいずれか一項に記載の画像形成装置。
【請求項６】
前記制御部は、入力色の使用量と、前記複数のノズルから吐出されるインクの記録濃度と、の対応関係を規定したルックアップテーブルであって、ブラックのインクの記録濃度が前記所定濃度以上のときにコンポジットブラックが加えられる対応関係を規定したルックアップテーブルを参照して前記入力色で表される入力データを前記記録データに変換し、該記録データに基づいて前記複数のノズルからインク滴を吐出してモノクロ画像を形成する、請求項１〜請求項５のいずれか一項に記載の画像形成装置。
【請求項７】
ブラックのインク滴を吐出するブラック用ノズルと、コンポジットブラックを生成するカラーのインク滴を吐出するカラー用ノズルと、を含む複数のノズルから記録データに基づいてインク滴を吐出してモノクロ画像を形成する画像形成方法であって、
前記記録データで表されるブラックのインクの記録濃度が所定濃度以上のときに、前記ブラック用ノズルからブラックのインク滴を吐出することに加えて前記カラー用ノズルからコンポジットブラックを生成するカラーのインク滴を吐出してモノクロ画像を形成する、画像形成方法。
【発明の詳細な説明】
【技術分野】
【０００１】
本発明は、画像形成装置、及び、画像形成方法に関する。
【背景技術】
【０００２】
インクジェットプリンターは、例えば、所定のノズル並び方向へ並んだ複数のノズルと被印刷物（被記録物）とをノズル並び方向と直交する走査方向へ相対移動させ、画素毎にドットの有無を表す記録データに基づいてノズルからインク滴（液滴）を吐出して被印刷物にドットを形成する。被印刷物にモノクロ画像を形成する場合、ブラック用ノズルからブラック（Ｋ）のインク滴を吐出して被印刷物にＫのドットを形成している。
【０００３】
特許文献１には、印字中にブラック用ヘッドの維持又は回復動作を行うとき、ブラックのドットをコンポジットブラックのドットに置き換えて印字するとともに、ブラック用ヘッドの維持又は回復動作を行うインクジェット記録装置が示されている。
【先行技術文献】
【特許文献】
【０００４】
【特許文献１】特開２００９−２０２４９１号公報
【発明の概要】
【発明が解決しようとする課題】
【０００５】
インクの滲み難い被印刷物を使用するなど印刷条件によっては被印刷物に高密度のドットを形成しても被印刷物の地色（例えば白）が目立つという「埋まりが悪い」現象が生じることがある。このような現象は、Ｋのドットによりモノクロ画像を形成する場合に目立ち易い。
また、ノズルからインク滴が吐出されると、近傍に気流（風）が生じる。ノズルから吐出されるインク滴の吐出密度が高いとき、近傍で吐出された別のインク滴による気流によりインク滴が若干流されて被印刷物に着弾する。このような現象が多くのインク滴に起こることにより、被印刷物に高密度のドットを形成したときにカーブ状の地色の筋が現れるという「風紋」現象が生じることがある。このような現象も、Ｋのドットによりモノクロ画像を形成する場合に目立ち易い。
【０００６】
特許文献１に記載のインクジェット記録装置は、ドットの密度に関係無くＫのドットをコンポジットブラックのドットに置き換えるだけであり、被印刷物に高密度のドットを形成する場合に生じる上述の課題を解決することができない。
【０００７】
以上を鑑み、本発明の目的の一つは、モノクロ画像の画質を向上させることにある。
【課題を解決するための手段】
【０００８】
上記目的の一つを達成するため、本発明は、ブラックのインク滴を吐出するブラック用ノズルと、コンポジットブラックを生成するカラーのインク滴を吐出するカラー用ノズルと、を含む複数のノズルから記録データに基づいてインク滴を吐出してモノクロ画像を形成可能な画像形成装置であって、
前記記録データで表されるブラックのインクの記録濃度が所定濃度以上のときに、前記ブラック用ノズルからブラックのインク滴を吐出することに加えて前記カラー用ノズルからコンポジットブラックを生成するカラーのインク滴を吐出してモノクロ画像を形成する制御部を備えた、態様を有する。
【０００９】
また、本発明は、ブラックのインク滴を吐出するブラック用ノズルと、コンポジットブラックを生成するカラーのインク滴を吐出するカラー用ノズルと、を含む複数のノズルから記録データに基づいてインク滴を吐出してモノクロ画像を形成する画像形成方法であって、
前記記録データで表されるブラックのインクの記録濃度が所定濃度以上のときに、前記ブラック用ノズルからブラックのインク滴を吐出することに加えて前記カラー用ノズルからコンポジットブラックを生成するカラーのインク滴を吐出してモノクロ画像を形成する、態様を有する。
【００１０】
上述した態様は、記録データで表されるブラックインクの記録濃度が所定濃度以上のときに、コンポジットブラックを生成するカラーのインク滴のドットがモノクロ画像に形成されるので、ドットの被覆率が大きくなることにより被記録物の地色が目立たなくなり、風紋が抑制される。従って、上述した態様は、モノクロ画像の画質を向上させることができる。
【００１１】
さらに、本発明は、画像形成装置を含む印刷装置といった装置、画像形成方法を含む印刷方法といった方法、画像形成装置の構成要素に対応した機能をコンピューターに実現させる画像形成プログラム、この画像形成プログラムを含む印刷プログラムといったプログラム、これらのプログラムを記録したコンピューター読み取り可能な媒体、等に適用可能である。前述の装置は、分散した複数の部分で構成されてもよい。
【図面の簡単な説明】
【００１２】
【図１】Ｋインクの記録濃度が所定濃度（Ｔｃ）以上のときにコンポジットブラックを加える様子を模式的に例示する図。
【図２】画像形成装置１の構成例を模式的に示す図。
【図３】記録ヘッド６１の構成例を模式的に示す図。
【図４】印刷処理の例を示すフローチャート。
【図５】色変換処理の例を示すフローチャート。
【図６】（ａ），（ｂ）は取得データの構造を模式的に例示する図。
【図７】バンド印刷を模式的に例示する図。
【図８】疑似バンド印刷を模式的に例示する図。
【図９】インターレース印刷を模式的に例示する図。
【図１０】ルックアップテーブルの構造を模式的に例示する図。
【図１１】Ｋ使用量に対するＣＭＹ使用量の例を模式的に示す図。
【図１２】（ａ），（ｂ）は被記録物設定に応じてコンポジットブラックを加える割合を変える例を模式的に示す図。
【図１３】複数のノズル６４から被記録物４００の搬送位置Ｌ１までの距離を模式的に例示する図。
【図１４】（ａ），（ｂ）は間隔設定に応じてコンポジットブラックを加える割合を変える例を模式的に示す図。
【図１５】（ａ），（ｂ）は走査設定に応じてコンポジットブラックを加える割合を変える例を模式的に示す図。
【図１６】（ａ），（ｂ）は解像度設定に応じてコンポジットブラックを加える割合を変える例を模式的に示す図。
【発明を実施するための形態】
【００１３】
以下、本発明の実施形態を説明する。むろん、以下の実施形態は本発明を例示するものに過ぎず、実施形態に示す特徴の全てが発明の解決手段に必須になるとは限らない。
【００１４】
（１）本技術の概要：
まず、図１〜１６を参照して本技術の概要を説明する。
【００１５】
本技術の複数のノズル６４は、ブラックのインク滴６７ｋを吐出するブラック用ノズル６４ｋと、コンポジットブラックを生成するカラーのインク滴６７ｃｏを吐出するカラー用ノズル６４ｃｏと、を含む。本技術の画像形成装置１は、複数のノズル６４から記録データ３１０に基づいてインク滴６７を吐出してモノクロ画像３３０を形成可能である。本画像形成装置１の制御部Ｕ１は、前記記録データ３１０で表されるブラックのインクの記録濃度が所定濃度（Ｔｃ）以上のときに、前記ブラック用ノズル６４ｋからブラックのインク滴６７ｋを吐出することに加えて前記カラー用ノズル６４ｃｏからコンポジットブラックを生成するカラーのインク滴６７ｃｏを吐出してモノクロ画像３３０を形成する。
【００１６】
記録データ３１０で表されるブラックインクの記録濃度が所定濃度（Ｔｃ）以上のときに、コンポジットブラックを生成するカラーのインク滴６７ｃｏのドットＤｃｏがモノクロ画像３３０に形成されるので、ドットＤＴの被覆率が大きくなることにより被記録物４００の地色が目立たなくなり、風紋が抑制される。従って、本態様は、モノクロ画像３３０の画質を向上させることができる。
なお、風紋を回避するために凹凸を設けたりファンを設けたりすることは、物理的な設計変更となるため、設計変更が難しかったり、コストアップとなったりするデメリットがある。本技術は、上述した制御により風紋を抑制することができるため、設計変更が容易であり、コスト面でもメリットがある。
【００１７】
ここで、上記記録濃度は、画素ＰＸに対してインク滴６７（インク滴の量が可変であれば最大量に換算したインク滴）を吐出する割合を意味し、所定領域内で同じ記録濃度であれば所定領域内の画素ＰＸの数に対して形成するドットＤＴの数の比を意味する。この記録濃度が所定濃度（Ｔｃ）以上であることには、所定濃度（Ｔｃ）よりも微小量小さい濃度よりも大きいことが含まれる。
上記コンポジットブラックを生成するカラーのインクには、シアン（Ｃ）、マゼンタ（Ｍ）、イエロー（Ｙ）、ライトシアン（ｌｃ）、ライトマゼンタ（ｌｍ）、ダークイエロー（ＤＹ）、レッド（Ｒ）、オレンジ（Ｏｒ）、グリーン（Ｇｒ）、バイオレット（Ｖ）、等のインクが含まれる。コンポジットブラックを生成するカラーは、これらの色から選ばれる色の混合色を使用することができ、ＣＭＹの混合色が好ましいものの、ＣＭＹの混合色以外の色、例えば、ＣＭの混合色等でもよい。
【００１８】
前記画像形成装置１は、第一の被記録物４０１にモノクロ画像３３０を形成する第一の被記録物設定５２１と、前記第一の被記録物４０１よりもインクが滲み易い第二の被記録物４０２にモノクロ画像３３０を形成する第二の被記録物設定５２２と、を含む複数の被記録物設定の中からいずれかの被記録物設定を入力する被記録物設定入力部Ｕ２１を備えてもよい。図１２（ａ），（ｂ）に例示するように、前記制御部Ｕ１は、前記第二の被記録物設定５２２が入力されたとき、前記ブラック用ノズル６４ｋからのブラックのインク滴６７ｋに加える前記カラー用ノズル６４ｃｏからのカラーのインク滴６７ｃｏの割合を前記第一の被記録物設定５２１が入力されたときと比べて少なくするか、カラーのインク滴６７ｃｏを加えないでモノクロ画像３３０を形成してもよい。
【００１９】
インクが滲み難い第一の被記録物４０１は、インクが滲み易い第二の被記録物４０２と比べてインク滴によるドットＤＴの被覆率が小さくなる。上記態様は、インクが滲み難い第一の被記録物４０１にモノクロ画像を形成する第一の被記録物設定５２１の場合にカラーのインク滴６７ｃｏの割合が多くなるか、カラーのインク滴６７ｃｏが加えられるかして、印刷において適切に埋まり、風紋が抑制される。一方、第二の被記録物設定５２２の場合には、インクの使用量が少なくて済む。従って、被記録物４００の地色の目立ちが効率的に抑制され、モノクロ画像３３０の風紋が効率的に抑制され、モノクロ画像３３０の画質が向上する。
【００２０】
本画像形成装置１は、前記複数のノズル６４から被記録物４００の搬送位置Ｌ１まで第一の距離ＰＧ１であることを示す第一の間隔設定５３１と、前記複数のノズル６４から被記録物４００の搬送位置Ｌ１まで前記第一の距離ＰＧ１よりも長い第二の距離ＰＧ２であることを示す第二の間隔設定５３２と、を含む複数の間隔設定の中からいずれかの間隔設定を入力する間隔設定入力部Ｕ２２を備えてもよい。図１４（ａ），（ｂ）に例示するように、前記制御部Ｕ１は、前記第一の間隔設定５３１が入力されたとき、前記ブラック用ノズル６４ｋからのブラックのインク滴６７ｋに加える前記カラー用ノズル６４ｃｏからのカラーのインク滴６７ｃｏの割合を前記第二の間隔設定５３２が入力されたときと比べて少なくするか、カラーのインク滴６７ｃｏを加えないでモノクロ画像３３０を形成してもよい。
【００２１】
複数のノズル６４から被記録物４００の搬送位置Ｌ１までの距離ＰＧが長い第二の間隔設定５３２である場合、複数のノズル６４から被記録物４００の搬送位置Ｌ１までの距離ＰＧが短い第一の間隔設定５３１である場合と比べてインク滴６７の着弾に気流の影響が出易い。上記態様は、距離ＰＧが長い第二の間隔設定５３２の場合にカラーのインク滴６７ｃｏの割合が多くなってドットＤＴの被覆率が大きくなるか、カラーのインク滴６７ｃｏが加えられるかして、印刷において適切に埋まり、風紋が抑制される。一方、距離ＰＧが短い第一の間隔設定５３１の場合には、インクの使用量が少なくて済む。従って、被記録物４００の地色の目立ちが効率的に抑制され、モノクロ画像３３０の風紋が効率的に抑制され、モノクロ画像３３０の画質が向上する。
【００２２】
本画像形成装置１は、被記録物４００に対して前記複数のノズル６４を１回相対移動させることにより前記複数のノズル６４の並びに対応する１バンド分の全ドットを形成する第一の走査設定５４１と、被記録物４００に対して前記複数のノズル６４を２回以上相対移動させることにより前記複数のノズル６４の並びに対応する１バンド分の全ドットを形成する第二の走査設定５４２と、を含む複数の走査設定の中からいずれかの走査設定を入力する走査設定入力部Ｕ２３を備えてもよい。図１５（ａ），（ｂ）に例示するように、前記制御部Ｕ１は、前記第二の走査設定５４２が入力されたとき、前記ブラック用ノズル６４ｋからのブラックのインク滴６７ｋに加える前記カラー用ノズル６４ｃｏからのカラーのインク滴６７ｃｏの割合を前記第一の走査設定５４１が入力されたときと比べて少なくするか、カラーのインク滴６７ｃｏを加えないでモノクロ画像３３０を形成してもよい。
【００２３】
被記録物４００に対して複数のノズル６４を１回相対移動させることにより１バンド分の全ドットを形成する第一の走査設定５４１である場合、インク滴の着弾に気流の影響が出るとモノクロ画像３３０に風紋が生じることがある。被記録物４００に対して複数のノズル６４を２回以上相対移動させることにより１バンド分の全ドットを形成する第二の走査設定５４２である場合、インク滴の着弾に気流の影響が出ても２回目又はそれ以降のノズルの相対移動により被記録物４００の地色部分がドットで被覆されてモノクロ画像３３０の風紋が抑制される。上記態様は、１回の相対移動で１バンド分の全ドットを形成する第一の走査設定５４１の場合にカラーのインク滴６７ｃｏの割合が多くなるか、カラーのインク滴６７ｃｏが加えられるかして、印刷において適切に埋まり、風紋が抑制される。一方、第二の走査設定５４２の場合には、インクの使用量が少なくて済む。従って、被記録物４００の地色の目立ちが効率的に抑制され、モノクロ画像３３０の風紋が効率的に抑制され、モノクロ画像３３０の画質が向上する。
ここで、被記録物４００に対してノズル６４を相対移動させることには、シリアルプリンターのように被記録物４００が移動しないでノズル６４が相対移動方向へ移動すること、ラインプリンターのようにノズル６４が移動しないで被記録物４００が相対移動方向へ移動すること、及び、被記録物４００とノズル６４の両方が相対移動方向へ移動することが含まれる。
【００２４】
本画像形成装置１は、被記録物４００に対する前記複数のノズル６４の相対移動方向（主走査方向Ｄ２）において第一の解像度でモノクロ画像３３０を形成する第一の解像度設定５５１と、前記相対移動方向（Ｄ２）において前記第一の解像度よりも高い第二の解像度でモノクロ画像３３０を形成する第二の解像度設定５５２と、を含む複数の解像度設定の中からいずれかの解像度設定を入力する解像度設定入力部Ｕ２４を備えてもよい。図１６（ａ），（ｂ）に例示するように、前記制御部Ｕ１は、前記第一の解像度設定５５１が入力されたとき、前記ブラック用ノズル６４ｋからのブラックのインク滴６７ｋに加える前記カラー用ノズル６４ｃｏからのカラーのインク滴６７ｃｏの割合を前記第二の解像度設定５５２が入力されたときと比べて少なくするか、カラーのインク滴６７ｃｏを加えないでモノクロ画像３３０を形成してもよい。
【００２５】
被記録物４００に対する複数のノズル６４の相対移動方向（Ｄ２）における解像度が高い第二の解像度設定５５２である場合、前記相対移動方向（Ｄ２）における解像度が低い第一の解像度設定５５１である場合と比べてインク滴の吐出周波数（相対移動方向における吐出密度）が高いことからインク滴の着弾に気流の影響が出易い。上記態様は、解像度が高い第二の解像度設定５５２の場合にカラーのインク滴６７ｃｏの割合が多くなるか、カラーのインク滴６７ｃｏが加えられるかして、印刷において適切に埋まり、風紋が抑制される。一方、解像度が低い第一の解像度設定５５１の場合には、インクの使用量が少なくて済む。従って、被記録物４００の地色の目立ちが効率的に抑制され、モノクロ画像３３０の風紋が効率的に抑制され、モノクロ画像３３０の画質が向上する。
【００２６】
前記制御部Ｕ１は、入力色の使用量と、前記複数のノズル６４から吐出されるインクの記録濃度と、の対応関係を規定したルックアップテーブルＬＵＴｃｏであって、ブラックのインクの記録濃度が前記所定濃度（Ｔｃ）以上のときにコンポジットブラックが加えられる対応関係を規定したルックアップテーブルＬＵＴｃｏを参照して前記入力色で表される入力データ３００を前記記録データ３１０に変換し、該記録データ３１０に基づいて前記複数のノズル６４からインク滴６７を吐出してモノクロ画像３３０を形成してもよい（図１１に例示）。この態様は、入力色で表される入力データ３００を記録データ３１０に変換する際にブラックのインクの記録濃度が所定濃度（Ｔｃ）以上であればコンポジットブラックが加えられるので、モノクロ画像３３０の画質を向上させる好適な例を提供することができる。
以下、ルックアップテーブルをＬＵＴとも記載する。
【００２７】
（２）画像形成装置及び画像形成方法の具体例：
図１は、Ｋインクの記録濃度が所定濃度以上のときにコンポジットブラックを加える具体例を模式的に示している。図２は、画像形成装置１の構成例を模式的に示している。図３は、画像形成装置１としてシリアルプリンターの要部を模式的に例示している。これらの図中、符号Ｄ１はノズル６４の並び方向、符号Ｄ２は記録ヘッド６１の主走査方向、符号Ｄ２ａは主走査方向Ｄ２の往方向、符号Ｄ２ｂは主走査方向Ｄ２の復方向、符号Ｄ３は被印刷物といった被記録物４００の紙送り方向、符号Ｄ４は紙送り方向Ｄ３とは反対の副走査方向、を示している。主走査方向Ｄ２と残りの方向Ｄ１，Ｄ３，Ｄ４とは、互いに交わっていればよく、互いに直交するのみならず、直交しない場合も本発明に含まれる。誤差により厳密な直交からずれることは、直交することに含まれる。分かり易く示すため、各方向の拡大率は異なることがあり、各図は整合していないことがある。また、図１，７〜９，１２，１４〜１６に示すドットはあくまでも説明のため模式的に示されたものであり、実際に形成されるドットの大きさや形状等はこれらの図の通りになるとは限らない。図２，３，７〜９に示す記録ヘッド６１もあくまでも説明のため模式的に示されたものであり、実際の大きさや形状等はこれらの図の通りになるとは限らない。
【００２８】
なお、被印刷物（print substrate）とは、印刷画像を保持する素材のことである。形状は長方形のものが一般的であるが、円形（例えばＣＤ−ＲＯＭ、ＤＶＤ等の光ディスク）、三角形、四角形、多角形などがあり、少なくとも、日本工業規格「JIS P0001:1998 紙・板紙及びパルプ用語」に記載の紙・板紙の品種及び加工製品の全てを含む。樹脂シート、金属板、立体物、等も被印刷物に含まれる。
【００２９】
図１に示す画像形成装置１は、まず、図１０に示すようなルックアップテーブルＬＵＴｉのいずれかを参照することにより、入力色で表される入力データ３００を、複数のノズル６４から吐出（噴射）されるインク６６の記録濃度を表す記録データ３１０に変換する。ＬＵＴｉは、色変換テーブルとも呼ばれる。図１には、入力色の例として赤（Ｒ）、緑（Ｇ）、及び、青（Ｂ）の組合せを示し、インクの色の例としてシアン（Ｃ）、マゼンタ（Ｍ）、イエロー（Ｙ）、及び、ブラック（Ｋ）の組合せを示している。この例では、ＣＭＹの混合色がコンポジットブラックである。入力データ３００は、ｘ方向（主走査方向Ｄ２）及びｙ方向（副走査方向Ｄ４）へそれぞれ整然と並んだ画素ＰＸ１のそれぞれについてＲＧＢの濃度を２５６階調といった多階調で入力画像を表現したデータである。記録データ３１０は、ｘ方向（主走査方向Ｄ２）及びｙ方向（副走査方向Ｄ４）へそれぞれ整然と並んだ画素ＰＸ２のそれぞれについてＣＭＹＫの濃度を２５６階調といった多階調で出力画像を表現したデータである。
【００３０】
Ｋインクだけを用いてモノクロ画像３３０を被記録物４００に形成する際、Ｋのインク滴６７ｋの吐出密度が高いと、近傍で吐出された別のインク滴６７ｋによる気流によりインク滴６７ｋが若干流されて被記録物４００に着弾するという風紋現象が生じることがある。図１の括弧内には、Ｋインクだけを用いたときに被記録物に地色（例えば白色）が現れた様子が模式的に示されている。なお、図１では風紋をカーブして描いていないが、実際に生じる風紋はカーブ状等となる。本画像形成装置１は、記録データ３１０で表されるＫインクの記録濃度が高いときに記録ヘッド６１からＫのインク滴６７ｋを吐出することに加えてコンポジットブラックを生成するＣＭＹのインク滴６７ｃｏを吐出するように記録データ３１０を生成する。
【００３１】
図２に示す画像形成装置１は、コントローラー１０、ＲＡＭ（Random Access Memory）２０、不揮発性メモリー３０、機構部５０、インターフェイス（Ｉ／Ｆ）７１，７２、操作パネル７３、等を備える。コントローラー１０、ＲＡＭ２０、不揮発性メモリー３０、Ｉ／Ｆ７１，７２、及び、操作パネル７３は、バス８０に接続され、互いに情報を入出力可能とされている。
【００３２】
コントローラー１０は、ＣＰＵ（Central Processing Unit）１１、解像度変換部４１、色変換部４２、ハーフトーン処理部４３、ラスタライズ処理部４４、等を備える。コントローラー１０は、ＳｏＣ（System on a Chip）等により構成することができる。
【００３３】
ＣＰＵ１１は、画像形成装置１における情報処理や制御を中心的に行う装置である。解像度変換部４１は、ホスト装置１００やメモリーカード９０等からの入力画像（入力データ３００）の解像度を設定解像度に変換する。色変換部４２は、入力データ３００の画素値（Ｒｉ，Ｇｉ，Ｂｉとする。）を画素毎に記録データ３１０の画素値（Ｃｉ，Ｍｉ，Ｙｉ，Ｋｉとする。）に変換するものである。なお、ここでのｉは、画素ＰＸを識別する情報である。画素値Ｒｉ，Ｇｉ，Ｂｉ，Ｃｉ，Ｍｉ，Ｙｉ，Ｋｉは、多階調の階調値、例えば、０〜２５５の２５６階調の整数値で表現される。ハーフトーン処理部４３は、記録データ３１０を構成する各画素の階調値に対して例えばディザ法や誤差拡散法や濃度パターン法といった所定のハーフトーン処理を行って前記階調値の階調数を減らし、多値データを生成する。多値データは、ドットの形成状況を表すデータであり、ドットの形成有無を表す２値データでもよいし、大中小の各ドットといった異なるサイズのドットに対応可能な３階調以上の多値データでもよい。２値データは、例えば、ドット形成に１、ドット無しに０、を対応させるデータとすることができる。４値データとしては、例えば、大ドット形成に３、中ドット形成に２、小ドット形成に１、ドット無しに０、を対応させるデータとすることができる。ラスタライズ処理部４４は、多値データを機構部５０でドットが形成される順番に並べ替えてラスタデータ（パス単位のイメージデータ）を生成し、記録ヘッド６１の駆動素子６３に印加する電圧信号に対応した駆動信号をラスタデータから生成して駆動回路６２へ出力する。例えば、多値データが「大ドット形成」であれば大ドット用のインク滴（液滴）６７を吐出させる駆動信号を出力し、多値データが「中ドット形成」であれば中ドット用のインク滴６７を吐出させる駆動信号を出力し、多値データが「小ドット形成」であれば小ドット用のインク滴６７を吐出させる駆動信号を出力する。これらの各部４１〜４４は、ＡＳＩＣ（Application Specific Integrated Circuit）で構成されてもよく、ＲＡＭ２０から処理対象のデータを直接読み込んだりＲＡＭ２０に処理後のデータを直接書き込んだりしてもよい。
さらに、コントローラー１０は、機構部５０におけるキャリッジモーター５１や紙送り機構５３等も制御する。
【００３４】
コントローラー１０に制御される機構部５０は、キャリッジモーター５１、タイミングベルト５２、紙送り機構５３、キャリッジ６０、記録ヘッド６１、等を備え、コントローラー１０とともに制御部Ｕ１を構成する。キャリッジモーター５１は、図示しない複数の歯車及びベルト５２を介してキャリッジ６０を主走査方向Ｄ２へ往復移動させる。紙送り機構５３は、被記録物４００を前記主走査方向Ｄ２と直交する紙送り方向Ｄ３へ搬送する。キャリッジ６０には、例えばＣＭＹＫのインク滴６７を吐出する記録ヘッド６１が搭載されている。記録ヘッド６１は、駆動回路６２、駆動素子６３、等を備える。駆動回路６２は、コントローラー１０から入力される駆動信号に従って駆動素子６３に電圧信号を印加する。駆動素子６３には、ノズル６４に連通する圧力室内のインク６６に圧力を加える圧電素子、熱により圧力室内に気泡を発生させてノズル６４からインク滴６７を吐出させる駆動素子、等を用いることができる。記録ヘッド６１の圧力室には、インクカートリッジ６５からインク６６が供給される。インクカートリッジ６５と記録ヘッド６１の組合せは、例えば、ＣＭＹＫのそれぞれに設けられる。圧力室内のインク６６は、駆動素子６３によってノズル６４から被記録物４００に向かってインク滴６７として吐出される。これにより、被記録物４００にインク滴６７のドットが形成され、記録データ３１０に対応した出力画像（モノクロ画像３３０を含む。）が印刷される。多値データが４値データであれば、多値データで表されるドットサイズに応じたドットの形成により出力画像が印刷される。
【００３５】
ＲＡＭ２０は、大容量で揮発性の半導体メモリーであり、プログラムＰＲＧ２、ＬＵＴｉ、入力データ３００、記録データ３１０、等が記憶される。プログラムＰＲＧ２は、画像形成装置１を制御部Ｕ１として機能させる制御機能、画像形成装置１を設定入力部Ｕ２として機能させる設定入力機能、等の機能を画像形成装置１に実現させる画像形成プログラムを含む。設定入力部Ｕ２には、被記録物設定入力部Ｕ２１、間隔設定入力部Ｕ２２、走査設定入力部Ｕ２３、及び、解像度設定入力部Ｕ２４が含まれる。
不揮発性メモリー３０には、プログラムＰＲＧ２とＬＵＴｉに展開されるプログラムデータＰＲＧ１等が記憶されている。不揮発性メモリー３０には、ＲＯＭ（Read Only Memory）、ハードディスクといった磁気記録媒体、等が用いられる。なお、プログラムデータＰＲＧ１を展開するとは、ＣＰＵ１１で解釈可能なプログラムとしてＲＡＭ２０に書き込むことを意味する。
【００３６】
カードＩ／Ｆ７１は、メモリーカード９０にデータを書き込んだりメモリーカード９０からデータを読み出したりする回路である。メモリーカード９０は、データの書き込み及び消去が可能な不揮発性半導体メモリーであり、デジタルカメラといった撮影装置により撮影された画像等が記憶される。画像は、例えばＲＧＢ色空間の画素値Ｒｉ，Ｇｉ，Ｂｉで表され、ＲＧＢの各画素値は、例えば０〜２５５の８ビットの階調値で表される。
通信Ｉ／Ｆ７２は、ホスト装置１００の通信Ｉ／Ｆ１７２に接続され、ホスト装置１００に対して情報を入出力する。通信Ｉ／Ｆ７２，１７２には、ＵＳＢ（Universal Serial Bus）等を用いることができる。ホスト装置１００には、パーソナルコンピューターといったコンピューター、デジタルカメラ、デジタルビデオカメラ、スマートフォンといった携帯電話、等が含まれる。
【００３７】
操作パネル７３は、出力部７４、入力部７５、等を有し、ユーザーが画像形成装置１に対して各種の指示を入力可能である。出力部７４は、例えば、各種の指示に応じた情報や画像形成装置１の状態を示す情報を表示する液晶パネル（表示部）で構成される。出力部７４は、これらの情報を音声出力してもよい。入力部７５は、例えば、カーソルキーや決定キーといった操作キー（操作入力部）で構成される。入力部７５は、表示画面への操作を受け付けるタッチパネル等でもよい。操作パネル７３は、コントローラー１０やＩ／Ｆ７１，７２とともに設定入力部Ｕ２を構成する。入力された設定を表す情報は、例えば、ＲＡＭ２０に記憶される。
【００３８】
図３に示す画像形成装置１は、記録ヘッド６１を主走査方向Ｄ２へ往復移動させ、被記録物４００を紙送り方向Ｄ３へ間欠的に搬送してモノクロ画像３３０といった出力画像を印刷する。被記録物４００に示されるバンドＢ１は、被記録物４００が搬送されていない状態で記録ヘッド６１の主走査でドットを形成可能な領域を示す。図３の下部には記録ヘッド６１のノズル面に形成されたノズル列６８を例示している。この記録ヘッド６１は、副走査方向Ｄ４に合わせた並び方向Ｄ１へＮ個のノズル６４が並んだノズル列＃１〜＃８が主走査方向Ｄ２へ並んでいる。ノズル列＃１〜＃８は、順に、Ｙのノズル列、Ｃのノズル列、Ｍのノズル列、Ｋのノズル列、Ｋのノズル列、Ｍのノズル列、Ｃのノズル列、Ｙのノズル列、とされている。従って、記録ヘッド６１におけるノズル列＃１〜＃８のインクの色は、ノズル列単位で見たときに主走査方向Ｄ２において対称となるように配置されている。むろん、インクの色の順序は様々な順序が可能であり、インクの色の組合せも様々な組合せが可能である。また、記録ヘッドは、ＣＭＹＫのノズル列が１列ずつしかなく、ノズル列のインクの色が主走査方向において非対称に配置されたものでもよい。
【００３９】
図３に示すノズル列＃１〜＃８は、比較的近接した＃１，２の組、比較的近接した＃３，４の組、比較的近接した＃５，６の組、比較的近接した＃７，８の組、の４組に分かれている。各組のノズル列の各ノズル６４は、並び方向Ｄ１に沿って互い違いにずれた「千鳥状」の配置とされている。その結果、Ｙのノズル列＃１，８の組、Ｃのノズル列＃２，７の組、Ｍのノズル列＃３，６、Ｋのノズル列＃４，５、のそれぞれの各ノズル６４も、並び方向Ｄ１に沿って互い違いにずれた配置とされている。ノズル単位で見れば、各ノズル６４は記録ヘッド６１のノズル面の中心を基準として点対称に配置されていることとなる。ノズル列＃１，３，５，７の各ノズルとノズル列＃２，４，６，８の各ノズルとの並び方向Ｄ１におけるピッチをＮｐとすると、各ノズル列＃１〜＃８のノズル６４のピッチは２×Ｎｐとなる。例えば、各ノズル列＃１〜＃８のノズルピッチが３００ｄｐｉ相当であれば、ＣＭＹＫの色毎のノズルピッチＮｐは６００ｄｐｉ相当となる。むろん、ノズルピッチＮｐは、６００ｄｐｉ以外にも、７２０ｄｐｉ等でもよい。
なお、ノズルが千鳥状に配置されたノズル列におけるノズルの並び方向Ｄ１は、千鳥状配置における列毎のノズルの並びの方向を意味するものとする。
【００４０】
図３に示す複数のノズル６４には、Ｋのノズル列＃４，５に配列されたＫ用ノズル６４ｋ、ＣＭＹのノズル列＃１〜３，６〜８に配列されたカラー用ノズル６４ｃｏ、が含まれる。Ｋ用ノズル６４ｋからは、Ｋのインク滴６７ｋが吐出されて被記録物４００にＫのドットＤｋが形成される。カラー用ノズル６４ｃｏからは、コンポジットブラックを生成するＣＭＹのいずれかのインク滴６７ｃｏが吐出されて被記録物４００にＣＭＹのいずれかのドットＤｃｏが形成される。
【００４１】
（３）印刷処理の説明：
図４は、画像形成装置１で行われる印刷処理の例をフローチャートにより示している。図５は、図４のステップＳ１０６の色変換処理の例をフローチャートにより示している。以下、「ステップ」の記載を省略する。ここで、Ｓ１０２は、設定入力部Ｕ２、設定入力工程、及び、設定入力機能に対応している。Ｓ１０６〜Ｓ１１２は、制御部Ｕ１、制御工程、及び、制御機能に対応している。印刷処理は、電気回路により実現されてもよいし、プログラムにより実現されてもよい。
【００４２】
（３−１）印刷処理：
例えば、ホスト装置１００から画像（印刷条件を含む。）及び印刷指示を受信すると、画像形成装置１は、受信した画像をＲＡＭ２０に格納し、印刷処理を開始させる。メモリーカード９０に記録された画像が操作パネル７３で選択操作されると、画像形成装置１は、選択された画像及びをＲＡＭ２０に格納し、印刷処理を開始させる。
印刷処理が開始されると、コントローラー１０は、必要に応じて不揮発性メモリー３０内のプログラムデータＰＲＧ１をＲＡＭ２０に展開する等の前処理を行ったうえ、ＲＡＭ２０に格納された画像に関するデータを取得する（Ｓ１０２）。
【００４３】
図６（ａ），（ｂ）は、Ｓ１０２で取得されるデータの構造を模式的に例示している。これらの取得データには、例えば、各画素ＰＸ１に２５６階調の画素値（Ｒｉ，Ｇｉ，Ｂｉ）を有するＲＧＢデータ（解像度変換前の入力データ３００）、及び、画像形成に関する各種印刷条件５００が含まれる。印刷条件５００には、モノクロ高発色モード５１１といった印刷モード５１０、光沢紙（第一の被記録物設定５２１）や再生紙（第二の被記録物設定５２２）といった被記録物設定５２０、片面印刷（第一の間隔設定５３１）や両面印刷（第二の間隔設定５３２）といった間隔設定５３０、バンド印刷（第一の走査設定５４１）や疑似バンド印刷（第二の走査設定５４２）といった走査設定５４０、主走査６００ｄｐｉ（第一の解像度設定５５１）や主走査１２００ｄｐｉ（第二の解像度設定５５２）といった解像度設定５５０、等が含まれる。被記録物設定５２０や間隔設定５３０や走査設定５４０や解像度設定５５０には、印刷モード５１０により決まる設定もある。各印刷条件の詳細は、後述する。
【００４４】
なお、画像形成装置１のためのドライバーがインストールされたホスト装置１００では、印刷条件５００の設定操作を行うことが可能である。例えば、ホスト装置１００は、印刷の対象画像に対して印刷モード５１０の選択操作を受け付け、次に前記対象画像をモノクロ印刷するかカラー印刷するかの選択操作を受け付け、モノクロ印刷が選択された場合にモノクロ画像３３０を形成するように印刷条件５００を決定し、カラー印刷が選択されても対象画像がモノクロであればモノクロ画像３３０を形成するように印刷条件５００を決定する処理を行う。決定された印刷条件５００は、ＲＧＢデータとともに画像形成装置１へ送信される。
【００４５】
図４のＳ１０４では、上記ＲＧＢデータを走査設定５４０及び解像度設定５５０に合わせる所定の解像度変換処理を解像度変換部４１で行う。ここで、上記ＲＧＢデータの解像度をＸｄｐｉ（主走査方向）×Ｙｄｐｉ（副走査方向）とする。走査設定５４０が図７に示すバンド印刷であり、主走査方向Ｄ２の画素ピッチＸｐが６００ｄｐｉ相当であり、副走査方向Ｄ４の画素ピッチＹｐが６００ｄｐｉ相当である場合、主走査方向Ｄ２の画素数が６００／Ｘ倍となり、副走査方向Ｄ４の画素数が６００／Ｙ倍となる。走査設定５４０が図８に示す疑似バンド印刷となり、副走査方向Ｄ４の画素ピッチＹｐが１２００ｄｐｉ相当となると、副走査方向Ｄ４の画素数が１２００／Ｙ倍となる。主走査方向Ｄ２の画素ピッチＸｐが１２００ｄｐｉ相当となると、主走査方向Ｄ２の画素数が１２００／Ｘ倍となる。
【００４６】
図４のＳ１０６では、解像度変換後の入力データ３００を例えば各画素ＰＸ２に２５６階調の画素値（Ｃｉ，Ｍｉ，Ｙｉ，Ｋｉ）を有するＣＭＹＫデータ（記録データ３１０）に変換する所定の色変換処理を色変換部４２で行う。Ｓ１０８では、記録データ３１０に対して所定のハーフトーン処理をハーフトーン処理部４３で行って階調数を減らし、例えばＣＭＹＫそれぞれについて画素毎にドットの形成状況を表す多値データを生成する。この多値データは、ドットの形成有無を表す２値データでもよいし、大中小それぞれのドットを形成可能な４値データでもよいし、これら以外の多値データでもよい。Ｓ１１０では、多値データに対して所定のラスタライズ処理をラスタライズ処理部４４で行って機構部５０でドットが形成される順番に並べ替え、例えばＣＭＹＫそれぞれのラスタデータを生成する。Ｓ１１２では、ラスタデータに対応した上記駆動信号を生成して記録ヘッド６１の駆動回路６２に出力し、ラスタデータに合わせて駆動素子６３を駆動させて記録ヘッド６１のノズル６４からインク滴６７を吐出させて印刷を実行する。これにより、被記録物４００上にドットの形成状況で表現された多値（例えば４値）の印刷画像（モノクロ画像３３０を含む。）が形成され、印刷処理が終了する。
【００４７】
（３−２）色変換処理：
次に、図５等を参照して色変換処理を説明する。色変換処理が開始されると、コントローラー１０は、図４のＳ１０２で取得した印刷条件５００に応じて処理を分岐させる（Ｓ２０２）。図５の例では、モノクロ画像３３０を形成することを前提として、印刷モード５１０が「デフォルトモード」であれば図１０に示すデフォルト用ＬＵＴ１を使用するように設定し（Ｓ２０４）、印刷モード５１０が「きれいモード」であればきれい用ＬＵＴ２を使用するように設定し（Ｓ２０６）、印刷モード５１０が「高発色モード」であれば図１０に示す高発色用ＬＵＴ３を使用するように設定する（Ｓ２０８）ことが示されている。むろん、印刷モード５１０には、前述のモノクロモード以外のモノクロモードが含まれてもよいし、カラー画像を形成するカラーモードが含まれてもよい。
【００４８】
「デフォルトモード」は、デフォルト用ＬＵＴ１を参照して生成した記録データ３１０に基づいて６００ｄｐｉ（主走査方向）×６００ｄｐｉ（副走査方向）の解像度でバンド印刷を行う印刷モードである。「きれいモード」は、きれい用ＬＵＴ２を参照して生成した記録データ３１０に基づいて６００ｄｐｉ（主走査方向）×１２００ｄｐｉ（副走査方向）の解像度で疑似バンド印刷を行う印刷モードである。「高発色モード」は、高発色用ＬＵＴ３を参照して生成した記録データ３１０に基づいて６００ｄｐｉ（主走査方向）×６００ｄｐｉ（副走査方向）の解像度でバンド印刷を行う印刷モードである。
【００４９】
図７は、バンド印刷（第一の走査設定５４１）を模式的に例示している。判り易く説明するため、記録ヘッド６１は、並び方向Ｄ１へＮ＝４個のノズル６４が並んだノズル列６８が１列のみ存在するものとしている。バンド印刷は、被記録物４００に対して記録ヘッド６１を主走査方向Ｄ２へ１回相対移動させることにより複数のノズル６４の並びに対応する１バンド分の全ドットを形成する印刷方式である。図中、記録ヘッド６１の右に付した数字は、記録ヘッド６１が何回目の主走査であるかを示している。図７においてノズルピッチをＮｐとしたとき、図７の例では、双方向印刷（Ｂｉ−ｄ印刷）を前提として、往方向Ｄ２ａとなる１回目の主走査でバンドＢ１１の全画素ＰＸに対して形成すべき全ドットＤＴを形成し、被記録物４００をノズルピッチＮｐのＮ倍の距離分紙送りした後に復方向Ｄ２ｂとなる２回目の主走査でバンドＢ１２の全画素ＰＸに対して形成すべき全ドットＤＴを形成し、被記録物４００をＮ×Ｎｐの距離分紙送りした後に往方向Ｄ２ａとなる３回目の主走査でバンドＢ１３の全画素ＰＸに対して形成すべき全ドットＤＴを形成し、以下同様であることが示されている。単方向印刷（Ｕｎｉ−ｄ印刷）を行う場合には、奇数回目及び偶数回目のドット形成をともに往方向Ｄ２ａの主走査のみで行えばよい。バンド印刷時の副走査方向Ｄ４の画素ピッチＹｐは、ノズルピッチＮｐとなる。図５のＳ２０４，Ｓ２０８では、画素ピッチＹｐが６００ｄｐｉ相当であることが示されている。
【００５０】
図８は、疑似バンド印刷（第二の走査設定５４２）を模式的に例示している。ここでも判り易く説明するため、記録ヘッド６１は、並び方向Ｄ１へＮ＝４個のノズル６４が並んだノズル列６８が１列のみ存在するものとしている。疑似バンド印刷は、被記録物４００に対して記録ヘッド６１を２回以上主走査方向Ｄ２へ相対移動させることにより複数のノズル６４の並びに対応する１バンド分の全ドットを形成する印刷方式である。図８の例では、往方向Ｄ２ａとなる１回目の主走査でバンドＢ２１に含まれる画素ＰＸの半分に対して形成すべきドットＤＴを形成し、被記録物４００をノズルピッチＮｐの１／２の距離分紙送りした後に復方向Ｄ２ｂとなる２回目の主走査でバンドＢ２１に含まれる残り半分の画素に対して形成すべきドットＤＴを形成し、被記録物４００を｛Ｎ−（１／２）｝×Ｎｐの距離分紙送りした後に往方向Ｄ２ａとなる３回目の主走査でバンドＢ２２に含まれる画素ＰＸの半分に対して形成すべきドットＤＴを形成し、被記録物４００を（１／２）×Ｎｐの距離分紙送りした後に復方向Ｄ２ｂとなる４回目の主走査でバンドＢ２２に含まれる残り半分の画素に対して形成すべきドットＤＴを形成し、被記録物４００を｛Ｎ−（１／２）｝×Ｎｐの距離分紙送りした後に往方向Ｄ２ａとなる５回目の主走査でバンドＢ２３に含まれる画素ＰＸの半分に対して形成すべきドットＤＴを形成し、以下同様であることが示されている。単方向印刷を行う場合には、奇数回目及び偶数回目のドット形成をともに往方向Ｄ２ａの主走査のみで行えばよい。疑似バンド印刷時の副走査方向Ｄ４の画素ピッチＹｐは、例えば、（１／２）×Ｎｐとなる。図５のＳ２０６では、画素ピッチＹｐが１２００ｄｐｉ相当であることが示されている。記録ヘッドを３回以上主走査方向へ相対移動させることにより１バンド分の全ドットを形成する場合も、同様である。
【００５１】
なお、印刷方式としては、図９に例示するインターレース印刷等もある。インターレース印刷は、並び方向Ｄ１において隣り合うノズル６４から吐出されるインク滴を副走査方向Ｄ４において隣り合わない画素ＰＸに着弾させ、インク滴が着弾しない位置にある間の画素ＰＸに対しては後の主走査でインク滴を着弾させる印刷方式である。図中、画素ＰＸに付した数字は、何回目の主走査で画素ＰＸにドットＤＴが形成されるかを示している。図９の例では、往方向Ｄ２ａとなる１回目の主走査で画素ピッチＹｐの３倍のピッチで被記録物４００にドットＤＴを形成し、被記録物４００を画素ピッチＹｐの４倍の距離分紙送りした後に復方向Ｄ２ｂとなる２回目の主走査で被記録物４００にドットＤＴを形成し、被記録物４００を画素ピッチＹｐの４倍の距離分紙送りした後に往方向Ｄ２ａとなる３回目の主走査で画素ピッチＹｐの３倍のピッチで被記録物４００にドットＤＴを形成し、被記録物４００を画素ピッチＹｐの４倍の距離分紙送りした後に復方向Ｄ２ｂとなる４回目の主走査で被記録物４００にドットＤＴを形成し、以下同様であることが示されている。単方向印刷を行う場合には、奇数回目及び偶数回目のドット形成をともに往方向Ｄ２ａの主走査のみで行えばよい。図９に示すノズルピッチＮｐは、３×Ｙｐである。従って、風紋現象は比較的軽微で済むものの、高解像度化に伴って風紋が目立つようであれば高記録濃度のＫにコンポジットブラックを加えてもよいし、高密度のドットを形成しても被記録物の地色が目立つようであれば高記録濃度のＫにコンポジットブラックを加えてもよい。
【００５２】
モノクロ画像用のＬＵＴｉには、図１０に示すように、ＣＭＹのインクを使用しないことを表すＬＵＴｋもあれば、高記録濃度のＫにおいてＣＭＹのインクを使用することを表すＬＵＴｃｏもある。なお、図１０に示した数値は、判り易く説明するための模式的な例示に過ぎない。例えば、デフォルト用ＬＵＴ１は、ＲＧＢの使用量（階調値）とＣＭＹＫのインク使用量（階調値）との対応関係を規定しながらＣＭＹのインクを使用しないことを表すＬＵＴｋである。ここで、Ｋのインク使用量は、被記録物４００に対するＫの記録濃度を意味する。きれい用ＬＵＴ２も、ＲＧＢ値とＫ値の対応関係がデフォルト用ＬＵＴ１と異なるだけでＣＭＹのインクを使用しないことを表すＬＵＴｋである。一方、高発色用ＬＵＴ３は、Ｋのインク使用量が所定量（所定濃度Ｔｃ％）以上のときにＣＭＹのインクが使用されるようにＲＧＢの使用量（階調値）とＣＭＹＫのインク使用量（階調値）との対応関係を規定したＬＵＴｃｏである。
【００５３】
図１１は、高発色用ＬＵＴ３においてＫ使用量（Ｋのインク使用量）に対するＣＭＹ使用量（ＣＭＹのインク使用量）の例を模式的に示している。図中、細い実線はＫ使用量に対するＣ使用量を示し、一点鎖線はＫ使用量に対するＭ使用量を示し、二点鎖線はＫ使用量に対するＹ使用量を示し、太い実線はＫ使用量に対するＣＭＹの平均使用量を示している。図１１に示すように、Ｋ使用量がＴｃ％以上のときにＣＭＹ使用量が発生し、Ｋ使用量がＴｃ％未満のときにＣＭＹ使用量が発生していないことが分かる。境界となる所定濃度Ｔｃは、６０〜７０％とされているが、例えば５０〜８０％程度に設定してもよい。
【００５４】
また、Ｃ使用量とＭ使用量とＹ使用量は、最大でもＴｃ％未満（図１１の例では４０％程度以下）となるようにされている。これにより、ＣＭＹについて、近傍で吐出された別のインク滴６７ｃｏよる気流によりインク滴６７ｃｏが若干流される「風紋」現象が抑制され、Ｋインクのみを使用したときの風紋現象による被記録物４００の地色部分にＣＭＹのインク滴６７ｃｏが着弾する。従って、風紋が効果的に抑制され、良好な画質のモノクロ画像が得られる。
【００５５】
さらに、ＣＭＹ使用量は、Ｋ使用量がＴｃ％以上の場合において上に凸の曲線とされている。風紋現象による被記録物の地色の目立ちは主走査方向Ｄ２へ波打つように連なることが多いので、Ｋ使用量がＴｃ％以上となったときにＫ使用量に対するＣＭＹ使用量が直線的に増えるよりもさらに増えることにより、風紋現象による被記録物の地色の目立ちが効果的に抑制される。
【００５６】
なお、Ｃ使用量とＭ使用量とＹ使用量の使用割合は、図１０に示す高発色用ＬＵＴ３のように１：１：１でもよいし、インクの性質等に応じて図１１に示すように異ならせてもよい。
【００５７】
図５のＳ２０４〜Ｓ２０８で使用するＬＵＴｉを設定すると、コントローラー１０は、図１に示すように入力データ３００を構成する画素ＰＸ１の中から色変換の対象画素ＰＸ１ｉの画素値（Ｒｉ，Ｇｉ，Ｂｉ）を取得する（Ｓ２１０）。Ｓ２１２では、設定されたＬＵＴｉを参照することにより、入力画素値（Ｒｉ，Ｇｉ，Ｂｉ）を出力画素値（Ｃｉ，Ｍｉ，Ｙｉ，Ｋｉ）に変換し、画素値（Ｃｉ，Ｍｉ，Ｙｉ，Ｋｉ）を記録データ３１０の対象画素ＰＸ２ｉに格納する。画素値（Ｒｉ，Ｇｉ，Ｂｉ）がＬＵＴｉに格納されていない場合には、ＬＵＴｉに格納されたＲＧＢの使用量のうち画素値（Ｒｉ，Ｇｉ，Ｂｉ）に近い使用量に対応するＣＭＹＫのインク使用量を複数組用いて出力画素値（Ｃｉ，Ｍｉ，Ｙｉ，Ｋｉ）を補間してもよい。Ｓ２１４では、入力データ３００の全ての画素ＰＸ１について画素値を変換する処理を行ったか否かを判断する。未処理の画素ＰＸ１が残っている場合、画像形成装置１は、Ｓ２１０〜Ｓ２１４の処理を繰り返す。この処理の繰り返しにより、記録データ３１０の複数の画素ＰＸ２の中から順次、設定される対象画素ＰＸ２ｉの出力画素値（Ｃｉ，Ｍｉ，Ｙｉ，Ｋｉ）が格納される。一方、全ての画素ＰＸ１について画素値を変換する処理が行われた場合、画像形成装置１は、色変換処理を終了させる。その後、コントローラー１０は、図４のＳ１０８〜Ｓ１１２の処理を行い、記録データ３１０に基づいて複数のノズル６４からインク滴６７を吐出して被記録物４００にモノクロ画像３３０を形成する。
【００５８】
（４）作用、及び、効果：
ここで、記録データ３１０で表されるＫ使用量が所定量（Ｔｃ）未満、すなわち、Ｋインクの記録濃度が所定濃度未満のとき、図１の「記録濃度が低いとき」の部分に示されるように、ＣＭＹのインク滴６７ｃｏは吐出されず、ＣＭＹのドットＤｃｏは形成されない。Ｋ使用量が少ないときは、近傍のインク滴吐出による気流の影響が小さく、また、被記録物の地色が多いことからも、風紋現象が見られない。従って、Ｋ使用量が少ないときは、ＣＭＹのインクを使用しなくても良好な画質の印刷画像を得ることができる。
【００５９】
一方、記録データ３１０で表されるＫ使用量が所定量（Ｔｃ）以上、すなわち、Ｋインクの記録濃度が所定濃度以上のとき、図１の「記録濃度が高いとき」の部分に示されるように、コンポジットブラックを生成するＣＭＹのインク滴６７ｃｏが吐出され、ＣＭＹのドットＤｃｏが形成される。Ｋ使用量が多くなると、近傍のインク滴吐出による気流の影響が大きくなり、Ｋインクだけでは風紋現象が生じることがある。ＣＭＹのインク滴６７ｃｏが吐出されることにより、インク使用量はＣＭＹＫ合わせて最大４００％まで増やすことが可能である。ＣＭＹのインク滴６７ｃｏが吐出されることにより、風紋現象による被記録物４００の地色部分にＣＭＹのドットＤｃｏが形成され、被記録物４００の地色が目立たなくなり、風紋が抑制される。従って、本技術は、良好な画質のモノクロ画像を得ることができる。また、Ｃ使用量とＭ使用量とＹ使用量が最大でもＴｃ％未満とされることにより、ＣＭＹのドットＤｃｏについて「風紋」現象が抑制され、風紋が効果的に抑制された良好な画質のモノクロ画像が得られる。さらに、ＣＭＹ使用量がＫ使用量（Ｔｃ）以上の場合において上に凸の曲線とされることによっても、風紋が効果的に抑制された良好な画質のモノクロ画像が得られる。
【００６０】
（５）変形例：
本発明は、種々の変形例が考えられる。
例えば、本技術を適用可能な画像形成装置は、ラインプリンター等でもよく、複写機、ファクシミリ、等も含まれる。
上述した処理は、順番を入れ替える等、適宜、変更可能である。例えば、図４の印刷処理において、解像度変換処理の前に色変換処理を行ってもよい。
Ｋインクの記録濃度が所定濃度以上の場合にＣＭＹのインク滴を加える処理は、色変換処理以外にも、ハーフトーン処理後の多値データを記録データとして行うことも可能であるし、ラスタライズ処理後のラスタデータを記録データとして行うことも可能である。
上述した実施形態ではモノクロ画像印刷時にＣＭＹのインク滴を加える場合とＣＭＹのインク滴を加えない場合とを切り換えているが、Ｋインクの記録濃度が所定濃度以上の場合にＣＭＹのインク滴を常に加える態様も本発明に含まれる。
なお、インクは、色を表現するための液体にとどまらず、光沢感を出す無着色の液体等、何らかの機能を付与する種々の液体が含まれる。従って、インク滴には、無着色の液滴等、種々の液滴が含まれる。
【００６１】
（５−１）被記録物の種類に応じて処理を変える例：
被記録物には、光沢紙のように比較的インクが滲み難いものもあれば、再生紙のように比較的インクが滲み易いものもある。図１２（ａ）に示すように、インクが滲み難い第一の被記録物４０１（例えば光沢紙）は、ドットＤｋが小さくなる結果、高密度のドットＤｋを形成しても被記録物４０１の地色が見え易く、風紋が目立ち易い。一方、インクが滲み易い第二の被記録物４０２（例えば再生紙）は、ドットＤｋが大きくなる結果、高密度のドットＤｋを形成すると被記録物４０２の地色が見え難く、風紋が目立ち難い。そこで、図４のＳ１０２において、コントローラー１０（被記録物設定入力部Ｕ２１）は、インクが滲み難い第一の被記録物４０１にモノクロ画像３３０を形成する第一の被記録物設定５２１と、インクが滲み易い第二の被記録物４０２にモノクロ画像３３０を形成する第二の被記録物設定５２２と、を含む複数の被記録物設定の中からいずれかの被記録物設定を取得してもよい。
【００６２】
図１２（ａ）は、第二の被記録物設定５２２が入力されたとき、Ｋのインク滴６７ｋにカラーのインク滴６７ｃｏを加えないでモノクロ画像３３０を形成する例を示している。ここで、ＬＵＴｃｏには、上述した高発色用ＬＵＴ３等を用いることができる。ＬＵＴｋには、上述したデフォルト用ＬＵＴ１等を用いることができる。図４のＳ１０６において、コントローラー１０は、第一の被記録物設定５２１が入力されたとき、Ｋ使用量が所定量（Ｔｃ）以上であればＣＭＹのインクが使用されるＬＵＴｃｏを参照してＲＧＢデータ（３００）をＣＭＹＫデータ（３１０）に変換する。この場合、画像形成装置１は、Ｋ使用量が多い場合にＫ用ノズル６４ｋからＫのインク滴６７ｋを吐出することに加えてＣＭＹ用ノズル６４ｃｏからＣＭＹのインク滴６７ｃｏを吐出してモノクロ画像３３０を被記録物４０１に形成する。これにより、被記録物４０１の地色が目立たなくなり、風紋が抑制される。一方、第二の被記録物設定５２２が入力されたとき、Ｋ使用量が所定量（Ｔｃ）以上であってもＣＭＹのインクが使用されないＬＵＴｋを参照してＲＧＢデータをＣＭＹＫデータに変換する。この場合、画像形成装置１は、Ｋ使用量が多くてもＫインクのみを使用してモノクロ画像３３０を被記録物４０２に形成する。これにより、ＣＭＹのインクの使用量が少なくて済む。
【００６３】
図１２（ｂ）は、第二の被記録物設定５２２が入力されたとき、Ｋのインク滴６７ｋに加えるカラーのインク滴６７ｃｏの割合を第一の被記録物設定５２１が入力されたときと比べて少なくしてモノクロ画像３３０を形成する例を示している。図４のＳ１０６において、コントローラー１０は、第一の被記録物設定５２１が入力されたとき、所定量（Ｔｃ）以上のＫ使用量において比較的多いＣＭＹのインク滴６７ｃｏが加えられるＬＵＴｃ１を参照してＲＧＢデータ（３００）をＣＭＹＫデータ（３１０）に変換する。この場合、画像形成装置１は、図１２（ａ）の場合と同様のモノクロ画像３３０を被記録物４０１に形成する。これにより、被記録物４０１の地色が目立たなくなり、風紋が抑制される。一方、第二の被記録物設定５２２が入力されたとき、所定量（Ｔｃ）以上のＫ使用量において比較的少ないＣＭＹのインク滴６７ｃｏが加えられるＬＵＴｃ２を参照してＲＧＢデータをＣＭＹＫデータに変換する。これにより、ＣＭＹのインクの使用量が少なくて済む。
【００６４】
いずれの場合も、被記録物の地色の目立ちが効率的に抑制され、モノクロ画像の風紋が効率的に抑制され、モノクロ画像の画質が向上する。
【００６５】
（５−２）複数のノズルから被記録物の搬送位置までの距離に応じて処理を変える例：
図１３は、記録ヘッド６１のノズル面（複数のノズル６４）から被記録物４００の搬送位置Ｌ１までの距離ＰＧ（図２参照）を模式的に例示している。被記録物４００の搬送位置Ｌ１は、紙送り機構５３（例えばプラテン）の位置で決まる。画像形成装置には、記録ヘッド６１のノズル面と被記録物４００の搬送位置Ｌ１との距離ＰＧを調整する間隔調整機構５４が設けられている。
被記録物４００に対して両面印刷を行う場合、被記録物４００の表側に画像を形成するとしみ込んだインクにより被記録物４００が波打つ現象が生じることがある。この場合、ノズル面と搬送位置Ｌ１との距離が短いと、被記録物４００の裏側に画像を形成するときにノズル面と被記録物４００とが接触して被記録物４００に汚れが生じる可能性がある。一方、被記録物４００の片面だけに対して印刷を行う場合、ノズル面と搬送位置Ｌ１との距離が長いと、近傍のインク滴吐出による気流の影響が大きくなり、風紋現象が生じ易くなる。そこで、図４のＳ１０２において、コントローラー１０（間隔設定入力部Ｕ２２）は、複数のノズル６４から被記録物４００の搬送位置Ｌ１まで第一の距離ＰＧ１であることを示す片面印刷設定（第一の間隔設定５３１）と、複数のノズル６４から被記録物４００の搬送位置Ｌ１まで第一の距離ＰＧ１よりも長い第二の距離ＰＧ２であることを示す両面印刷設定（第二の間隔設定５３２）と、を含む複数の間隔設定の中からいずれかの間隔設定を取得してもよい。
【００６６】
図１４（ａ）は、片面印刷設定が入力されたとき、Ｋのインク滴６７ｋにカラーのインク滴６７ｃｏを加えないでモノクロ画像３３０を形成する例を示している。ここで、ＬＵＴｃｏには、上述した高発色用ＬＵＴ３等を用いることができる。ＬＵＴｋには、上述したデフォルト用ＬＵＴ１等を用いることができる。図４のＳ１０６において、コントローラー１０は、両面印刷設定（第二の間隔設定５３２）が入力されたとき、Ｋ使用量が所定量（Ｔｃ）以上であればＣＭＹのインクが使用されるＬＵＴｃｏを参照してＲＧＢデータ（３００）をＣＭＹＫデータ（３１０）に変換する。この場合、画像形成装置１は、Ｋ使用量が多い場合にＫ用ノズル６４ｋからＫのインク滴６７ｋを吐出することに加えてＣＭＹ用ノズル６４ｃｏからＣＭＹのインク滴６７ｃｏを吐出してモノクロ画像３３０を被記録物４００に形成する。これにより、被記録物４００の地色が目立たなくなり、風紋が抑制される。一方、片面印刷設定（第一の間隔設定５３１）が入力されたとき、Ｋ使用量が所定量（Ｔｃ）以上であってもＣＭＹのインクが使用されないＬＵＴｋを参照してＲＧＢデータをＣＭＹＫデータに変換する。この場合、画像形成装置１は、Ｋ使用量が多くてもＫインクのみを使用してモノクロ画像３３０を被記録物４００に形成する。これにより、ＣＭＹのインクの使用量が少なくて済む。
【００６７】
図１４（ｂ）は、片面印刷設定が入力されたとき、Ｋのインク滴６７ｋに加えるカラーのインク滴６７ｃｏの割合を両面印刷設定が入力されたときと比べて少なくしてモノクロ画像３３０を形成する例を示している。図４のＳ１０６において、コントローラー１０は、両面印刷設定（第二の間隔設定５３２）が入力されたとき、所定量（Ｔｃ）以上のＫ使用量において比較的多いＣＭＹのインク滴６７ｃｏが加えられるＬＵＴｃ１を参照してＲＧＢデータ（３００）をＣＭＹＫデータ（３１０）に変換する。この場合、画像形成装置１は、図１４（ａ）の場合と同様のモノクロ画像３３０を被記録物４００に形成する。これにより、被記録物４００の地色が目立たなくなり、風紋が抑制される。一方、片面印刷設定（第一の間隔設定５３１）が入力されたとき、所定量（Ｔｃ）以上のＫ使用量において比較的少ないＣＭＹのインク滴６７ｃｏが加えられるＬＵＴｃ２を参照してＲＧＢデータをＣＭＹＫデータに変換する。これにより、ＣＭＹのインクの使用量が少なくて済む。
【００６８】
いずれの場合も、被記録物の地色の目立ちが効率的に抑制され、モノクロ画像の風紋が効率的に抑制され、モノクロ画像の画質が向上する。
【００６９】
（５−３）走査設定に応じて処理を変える例：
走査設定５４０には、図７に示すようなバンド印刷設定（第一の走査設定５４１）、図８に示すような疑似バンド印刷設定（第二の走査設定５４２）、等がある。バンド印刷を行う場合、図７に示すように被記録物４００に対して記録ヘッド６１を１回相対移動させることにより１バンド分の全ドットを形成するため、インク滴の着弾に気流の影響が出ると風紋現象が生じることがある。疑似バンド印刷を行う場合、図８に示すように被記録物４００に対して記録ヘッド６１を２回以上相対移動させることにより１バンド分の全ドットを形成するため、インク滴の着弾に気流の影響が出ても２回目又はそれ以降のノズルの相対移動により被記録物４００の地色部分がドットで被覆されて風紋現象が抑制される。そこで、図４のＳ１０２において、コントローラー１０（走査設定入力部Ｕ２３）は、バンド印刷設定と疑似バンド印刷設定とを含む複数の走査設定の中からいずれかの走査設定を取得してもよい。
【００７０】
図１５（ａ）は、疑似バンド印刷設定が入力されたとき、Ｋのインク滴６７ｋにカラーのインク滴６７ｃｏを加えないでモノクロ画像３３０を形成する例を示している。ここで、ＬＵＴｃｏには、上述した高発色用ＬＵＴ３等を用いることができる。ＬＵＴｋには、上述したデフォルト用ＬＵＴ１等を用いることができる。図４のＳ１０６において、コントローラー１０は、バンド印刷設定（第一の走査設定５４１）が入力されたとき、Ｋ使用量が所定量（Ｔｃ）以上であればＣＭＹのインクが使用されるＬＵＴｃｏを参照してＲＧＢデータ（３００）をＣＭＹＫデータ（３１０）に変換する。この場合、画像形成装置１は、Ｋ使用量が多い場合にＫ用ノズル６４ｋからＫのインク滴６７ｋを吐出することに加えてＣＭＹ用ノズル６４ｃｏからＣＭＹのインク滴６７ｃｏを吐出してモノクロ画像３３０を被記録物４００に形成する。これにより、被記録物４００の地色が目立たなくなり、風紋が抑制される。一方、疑似バンド印刷設定（第二の走査設定５４２）が入力されたとき、Ｋ使用量が所定量（Ｔｃ）以上であってもＣＭＹのインクが使用されないＬＵＴｋを参照してＲＧＢデータをＣＭＹＫデータに変換する。この場合、画像形成装置１は、Ｋ使用量が多くてもＫインクのみを使用してモノクロ画像３３０を被記録物４００に形成する。これにより、ＣＭＹのインクの使用量が少なくて済む。
【００７１】
図１５（ｂ）は、疑似バンド印刷設定が入力されたとき、Ｋのインク滴６７ｋに加えるカラーのインク滴６７ｃｏの割合をバンド印刷設定が入力されたときと比べて少なくしてモノクロ画像３３０を形成する例を示している。図４のＳ１０６において、コントローラー１０は、バンド印刷設定（第一の走査設定５４１）が入力されたとき、所定量（Ｔｃ）以上のＫ使用量において比較的多いＣＭＹのインク滴６７ｃｏが加えられるＬＵＴｃ１を参照してＲＧＢデータ（３００）をＣＭＹＫデータ（３１０）に変換する。この場合、画像形成装置１は、図１５（ａ）の場合と同様のモノクロ画像３３０を被記録物４００に形成する。これにより、被記録物４００の地色が目立たなくなり、風紋が抑制される。一方、疑似バンド印刷設定（第二の走査設定５４２）が入力されたとき、所定量（Ｔｃ）以上のＫ使用量において比較的少ないＣＭＹのインク滴６７ｃｏが加えられるＬＵＴｃ２を参照してＲＧＢデータをＣＭＹＫデータに変換する。これにより、ＣＭＹのインクの使用量が少なくて済む。
【００７２】
いずれの場合も、被記録物の地色の目立ちが効率的に抑制され、モノクロ画像の風紋が効率的に抑制され、モノクロ画像の画質が向上する。
なお、第二の走査設定５４２としては、図９に示すようなインターレース印刷を行う設定等でもよい。
【００７３】
（５−４）相対移動方向における走査設定に応じて処理を変える例：
主走査方向Ｄ２において比較的高解像度（例えば１２００ｄｐｉ）でモノクロ画像３３０を形成する場合、インク滴の吐出周波数が高いことから、インク滴の着弾に気流の影響が出て風紋現象が生じることがある。主走査方向Ｄ２において比較的低解像度（例えば６００ｄｐｉ）でモノクロ画像３３０を形成する場合、インク滴の吐出周波数が低くなることから、インク滴の着弾に気流の影響が少なくなって風紋現象が生じ難くなる。そこで、図４のＳ１０２において、コントローラー１０（解像度設定入力部Ｕ２４）は、記録ヘッド６１の主走査方向Ｄ２において第一の解像度でモノクロ画像３３０を形成する低解像度設定（第一の解像度設定５５１）と、主走査方向Ｄ２において第一の解像度よりも高い第二の解像度でモノクロ画像３３０を形成する高解像度設定（第二の解像度設定５５２）と、を含む複数の解像度設定の中からいずれかの解像度設定を取得してもよい。
【００７４】
図１６（ａ）は、低解像度設定が入力されたとき、Ｋのインク滴６７ｋにカラーのインク滴６７ｃｏを加えないでモノクロ画像３３０を形成する例を示している。ここで、ＬＵＴｃｏには、上述した高発色用ＬＵＴ３等を用いることができる。ＬＵＴｋには、上述したデフォルト用ＬＵＴ１等を用いることができる。図４のＳ１０６において、コントローラー１０は、高解像度設定（第二の解像度設定５５２）が入力されたとき、Ｋ使用量が所定量（Ｔｃ）以上であればＣＭＹのインクが使用されるＬＵＴｃｏを参照してＲＧＢデータ（３００）をＣＭＹＫデータ（３１０）に変換する。この場合、画像形成装置１は、Ｋ使用量が多い場合にＫ用ノズル６４ｋからＫのインク滴６７ｋを吐出することに加えてＣＭＹ用ノズル６４ｃｏからＣＭＹのインク滴６７ｃｏを吐出してモノクロ画像３３０を被記録物４００に形成する。これにより、被記録物４００の地色が目立たなくなり、風紋が抑制される。一方、低解像度設定（第一の解像度設定５５１）が入力されたとき、Ｋ使用量が所定量（Ｔｃ）以上であってもＣＭＹのインクが使用されないＬＵＴｋを参照してＲＧＢデータをＣＭＹＫデータに変換する。この場合、画像形成装置１は、Ｋ使用量が多くてもＫインクのみを使用してモノクロ画像３３０を被記録物４００に形成する。これにより、ＣＭＹのインクの使用量が少なくて済む。
【００７５】
図１６（ｂ）は、低解像度設定が入力されたとき、Ｋのインク滴６７ｋに加えるカラーのインク滴６７ｃｏの割合を高解像度設定が入力されたときと比べて少なくしてモノクロ画像３３０を形成する例を示している。図４のＳ１０６において、コントローラー１０は、高解像度設定（第二の解像度設定５５２）が入力されたとき、所定量（Ｔｃ）以上のＫ使用量において比較的多いＣＭＹのインク滴６７ｃｏが加えられるＬＵＴｃ１を参照してＲＧＢデータ（３００）をＣＭＹＫデータ（３１０）に変換する。この場合、画像形成装置１は、図１６（ａ）の場合と同様のモノクロ画像３３０を被記録物４００に形成する。これにより、被記録物４００の地色が目立たなくなり、風紋が抑制される。一方、低解像度設定（第一の解像度設定５５１）が入力されたとき、所定量（Ｔｃ）以上のＫ使用量において比較的少ないＣＭＹのインク滴６７ｃｏが加えられるＬＵＴｃ２を参照してＲＧＢデータをＣＭＹＫデータに変換する。これにより、ＣＭＹのインクの使用量が少なくて済む。
【００７６】
いずれの場合も、被記録物の地色の目立ちが効率的に抑制され、モノクロ画像の風紋が効率的に抑制され、モノクロ画像の画質が向上する。
なお、解像度の高低は相対的なものであるため、例えば、高解像度設定が６００ｄｐｉで画像を形成する設定でもよく、低解像度設定が３００ｄｐｉで画像を形成する設定でもよい。
【００７７】
（６）結び：
以上説明したように、本発明によると、種々の態様により、モノクロ画像の画質を向上させることが可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００７８】
１…画像形成装置、１０…コントローラー、４１…解像度変換部、４２…色変換部、４３…ハーフトーン処理部、４４…ラスタライズ処理部、５０…機構部、５３…紙送り機構、５４…間隔調整機構、６０…キャリッジ、６１…記録ヘッド、６４，６４ｋ，６４ｃｏ…ノズル、６７，６７ｋ，６７ｃｏ…インク滴、６８…ノズル列、１００…ホスト装置、３００…入力データ、３１０…記録データ、３３０…モノクロ画像、４００…被記録物、４０１…第一の被記録物、４０２…第二の被記録物、５００…印刷条件、５１０…印刷モード、５１１…モノクロ高発色モード、５２０…被記録物設定、５２１…第一の被記録物設定、５２２…第二の被記録物設定、５３０…間隔設定、５３１…第一の間隔設定、５３２…第二の間隔設定、５４０…走査設定、５４１…第一の走査設定、５４２…第二の走査設定、５５０…解像度設定、５５１…第一の解像度設定、５５２…第二の解像度設定、Ｂ１，Ｂ１１〜Ｂ１３，Ｂ２１〜Ｂ２３…バンド、Ｄ１…並び方向、Ｄ２…主走査方向、Ｄ３…紙送り方向、Ｄ４…副走査方向、ＤＴ，Ｄｋ，Ｄｃｏ…ドット、Ｌ１…搬送位置、ＰＸ…画素、Ｕ１…制御部、Ｕ２…設定入力部、Ｕ２１…被記録物設定入力部、Ｕ２２…間隔設定入力部、Ｕ２３…走査設定入力部、Ｕ２４…解像度設定入力部、ＬＵＴｃｏ，ＬＵＴｉ，ＬＵＴｋ…ルックアップテーブル。
【図１】
2015168088.tif 000003
【図２】
2015168088.tif 000004
【図３】
2015168088.tif 000005
【図４】
2015168088.tif 000006
【図５】
2015168088.tif 000007
【図６】
2015168088.tif 000008
【図７】
2015168088.tif 000009
【図８】
2015168088.tif 000010
【図９】
2015168088.tif 000011
【図１０】
2015168088.tif 000012
【図１１】
2015168088.tif 000013
【図１２】
2015168088.tif 000014
【図１３】
2015168088.tif 000015
【図１４】
2015168088.tif 000016
【図１５】
2015168088.tif 000017
【図１６】
2015168088.tif 000018